(57)【特許請求の範囲】
【請求項１】
ガス検知器が取り付けられ、下底部に設けられた開口部を含む支持台と、
前記支持台の前記下底部の前記開口部に挿入される取付具とを備え、
前記取付具は、壁面に固定される下部と、前記開口部を介して前記支持台の内部に配置される上部と、前記下部と前記上部との間に設けられ、前記壁面から離れる方向で、かつ、上方に傾斜するように配置されるとともに、前記支持台の背部の外表面が前記壁面に接触した状態で前記支持台の下端部を支持する傾斜部と、を含む、ガス検知器の取付構造。
【請求項２】
前記支持台は、前記背部の上側部分に設けられ、前記背部の前記外表面が前記壁面に接触するように前記支持台を前記壁面に固定する支持台固定部をさらに含む、請求項１に記載のガス検知器の取付構造。
【請求項３】
前記取付具の前記上部と前記支持台の前記背部の内表面とは、所定の隙間を介して互いに離間している、請求項１または２に記載のガス検知器の取付構造。
【請求項４】
前記傾斜部は、前記支持台の前記下端部のうちの前記壁面から離れる方向側の角部に線接触した状態で、前記支持台の前記下端部を支持している、請求項１〜３のいずれか１項に記載のガス検知器の取付構造。
【発明の詳細な説明】
【技術分野】
【０００１】
この発明は、ガス検知器の取付構造に関し、特に、壁面に取り付けられるガス検知器の取付構造に関する。
【背景技術】
【０００２】
従来、壁面に取り付けられるガス検知器の取付構造が知られている（たとえば、特許文献１参照）。
【０００３】
上記特許文献１には、警報器（ガス検知器）の背面に取り付けられる取り付け金具を備える、警報器の取付装置が開示されている。上記特許文献１に記載の警報器の取付装置では、取り付け金具は、断面が壁面側に窪む凹形状を有している。この取り付け金具は、ねじにより壁面に固定される壁面固定部と、壁面固定部から壁面から離れる方向に突出する複数の係合部とを有している。また、複数の係合部が対応する警報器の背面の複数の係合部にそれぞれ嵌め込まれることにより、警報器は、壁面から離間した状態で、取り付け金具を介して壁面に固定されるように構成されている。
【先行技術文献】
【特許文献】
【０００４】
【特許文献１】特開平１１−２０３５７４号公報
【発明の概要】
【発明が解決しようとする課題】
【０００５】
しかしながら、上記特許文献１に記載の警報器の取付装置では、取り付け金具により警報器が壁面から離間した状態で固定されているため、警報器が壁面から離間する分、警報器および取り付け金具が占める空間が大きくなってしまうという問題点がある。
【０００６】
この発明は、上記のような課題を解決するためになされたものであり、この発明の１つの目的は、大きな空間を占めることなくガス検知器を壁面に取り付けることが可能なガス検知器の取付構造を提供することである。
【課題を解決するための手段】
【０００７】
この発明の一の局面によるガス検知器の取付構造は、ガス検知器が取り付けられ、下底部に設けられた開口部を含む支持台と、支持台の下底部の開口部に挿入される取付具とを備え、取付具は、壁面に固定される下部と、開口部を介して支持台の内部に配置される上部と、下部と上部との間に設けられ、壁面から離れる方向で、かつ、上方に傾斜するように配置されるとともに、支持台の背部の外表面が壁面に接触した状態で支持台の下端部を支持する傾斜部と、を含む。
【０００８】
この発明の一の局面によるガス検知器の取付構造では、上記のように、ガス検知器が取り付けられた支持台の下底部の開口部に挿入される取付具が、支持台の背部の外表面が壁面に接触した状態で支持台の下端部を支持する傾斜部を含む。これにより、傾斜部により、ガス検知器の支持台の背部の外表面を壁面に接触させた状態で、支持台を支持させることができる。この結果、支持台と壁面とが略離間しない状態で、ガス検知器の支持台を壁面に取り付けることができるので、大きな空間を占めることなくガス検知器を壁面に取り付けることができる。
【０００９】
また、この発明の一の局面によるガス検知器の取付構造では、壁面から離れる方向で、かつ、上方に傾斜するように配置された取付具の傾斜部が、支持台の下端部を支持することによって、支持台の背部の外表面が接触される壁面と傾斜部とにより支持台の背部を挟み込むことができるので、支持台の壁面から離れる方向に支持台が移動するのを抑制することができる。これにより、支持台にがたつきが生じるのを抑制することができるとともに、背部の外表面が壁面に接触する状態を維持することができる。
【００１０】
上記一の局面によるガス検知器の取付構造において、好ましくは、支持台は、背部の上側部分に設けられ、背部の外表面が壁面に接触するように支持台を壁面に固定する支持台固定部をさらに含む。このように構成すれば、支持台固定部を設けることにより、背部の外表面の全体を確実に壁面に接触させることができるとともに、背部の外表面の全体を壁面に接触させた状態で、支持台を壁面に固定することができる。これにより、より確実に支持台にがたつきが生じるのを抑制することができる。
【００１１】
上記一の局面によるガス検知器の取付構造において、好ましくは、取付具の上部と支持台の背部の内表面とは、所定の隙間を介して互いに離間している。このように構成すれば、支持台の開口部に取付具を挿入する際に、取付具の上部と支持台の背部の内表面とが接触するのを抑制することができるので、取付具と支持台の背部とが摩耗するのを抑制することができる。この結果、取付具と支持台との摩耗に起因して摩耗粉が生じるのを抑制することができる。この摩耗粉が生じるのを抑制する効果は、クリーンルームなどの清浄な状態を維持する必要のある空間内にガス検知器が配置される場合に、特に有効である。
【００１２】
上記一の局面によるガス検知器の取付構造において、好ましくは、傾斜部は、支持台の下端部のうちの壁面から離れる方向側の角部に線接触した状態で、支持台の下端部を支持している。このように構成すれば、傾斜部が支持台の下端部を点接触で支持する場合と比べて、傾斜部において支持台をより安定的に支持することができる。
【発明の効果】
【００１３】
本発明によれば、上記のように、大きな空間を占めることなくガス検知器を壁面に取り付けることができる。
【図面の簡単な説明】
【００１４】
【図１】本発明の一実施形態によるガス検知ユニットを示した斜視図である。
【図２】本発明の一実施形態によるガス検知ユニットを示した正面図である。
【図３】図２の２００−２００線に沿った部分断面図である。
【図４】図３の２１０−２１０線に沿った断面図である。
【図５】本発明の一実施形態によるガス検知ユニットの取付具周辺を示した拡大断面図である。
【図６】本発明の一実施形態によるガス検知ユニットの取付具を示した平面図である。
【図７】図３の２２０−２２０線に沿った断面図である。
【発明を実施するための形態】
【００１５】
以下、本発明を具体化した実施形態を図面に基づいて説明する。
【００１６】
まず、図１〜図７を参照して、本発明の一実施形態によるガス検知ユニット１００の全体構成について説明する。
【００１７】
図１に示す本発明の一実施形態によるガス検知ユニット１００は、壁掛け式のガス検知ユニットであり、上下方向（鉛直方向、Ｚ方向）に延びる壁面１０１に取り付けられている。なお、ガス検知ユニット１００が取り付けられる壁面１０１としては、建物の部屋（たとえば、クリーンルームなど）における上下方向に延びる壁面でもよいし、ガス検知ユニット１００取付専用のラックにおける上下方向に延びる壁面でもよい。また、ガス検知ユニット１００は、ガス検知器１と、ガス検知器１が取り付けられる支持台２と、壁面１０１に固定され、ガス検知器１および支持台２を支持する取付具３とを備えている。この支持台２および取付具３により、ガス検知器１を壁面１０１に取り付けるためのガス検知器の取付構造４が構成されている。
【００１８】
図１および図２に示すように、ガス検知器１は、直方体の箱型形状を有しており、図示しない係合部同士が係合することによって、支持台２に取り付られている。なお、ガス検知器１は、支持台２から取り外し可能に構成されており、ガス検知器１のみを支持台２から取り外して、ガス検知器１の取り換えや点検を行うことが可能なように構成されている。また、ガス検知器１は、支持台２のガス導入部２ａから導入された複数種類の検知対象ガスを検知する機能や、所定の濃度以上の検知対象ガスを検知した際に警報を出力する機能などを有している。また、ガス検知器１は、表示部１ａを有しており、表示部１ａに検知対象ガスの濃度や、設定画面、警報時の警告表示などを表示可能に構成されている。なお、ガス導入部２ａから導入されたガスは、支持台２のガス排出部２ｂから外部に排出される。
【００１９】
支持台２は、ガス検知ユニット１００の幅方向（Ｙ方向）から見て、略Ｌ字状に形成されている。また、支持台２は、壁面１０１に沿ってＺ方向に延びる背部２１と、背部２１の下端部２１ａから前方（Ｘ１側）に延びる底部２２とを含んでいる。なお、前方（Ｘ１側とは、壁面１０１に対して垂直な前後方向（Ｘ方向）のうち、壁面１０１から離れる方向である。また、底部２２は、本発明の「下底部」の一例である。
【００２０】
また、支持台２は、背部２１のＹ方向の両端からＸ１側に延びる一対の側壁部２３と、底部２２のＹ方向の両端から上方（Ｚ１側）に延びる一対の側壁部２４ａと、背部２１に対向するようにＸ１側に設けられ、底部２２からＺ１側に延びる前壁部２４ｂとを含んでいる。また、側壁部２３、２４ａおよび前壁部２４ｂに挟まれるようにガス検知器１が配置された状態で、ガス検知器１が支持台２に取り付られている。
【００２１】
また、支持台２は、約１ｍｍの厚みｔ１（図４および図５参照）を有する鉄板が曲げ加工されることによって形成されている。つまり、支持台２では、背部２１、底部２２、側壁部２３、２４ａおよび前壁部２４ｂが一体的に形成されている。なお、支持台２は、塗装などの耐食処理が行われることによって、耐食性が向上されている。
【００２２】
図３に示すように、支持台２の背部２１は、Ｘ１側から見て、Ｚ方向に長い矩形状に形成されている。また、背部２１のＸ１側には、２枚の基板２５がＸ方向に積層された状態で配置されている。一対の基板２５は、一対のスペーサ２５ａにより、Ｘ方向に積層されている。なお、スペーサ２５ａのＸ２側の端部は、背部２１に固定されている。これらの基板２５は、ガス検知器１への電源の供給や、ガス検知器１と外部との通信の仲介などを行うために設けられている。また、基板２５は、底部２２に設けられたイーサネット（登録商標）コネクタ２２ａを介して、ガス検知器１と外部との通信を仲介しつつ、外部から電源を得ることが可能なように構成されている。
【００２３】
また、支持台２の上部には、カバー部材２６が取り付けられている。このカバー部材２６は、基板２５を上方から覆うように支持台２の一対の側壁部２３に取り付られている。
【００２４】
また、本実施形態では、背部２１の上側部分には、Ｚ方向に長い長円形状のねじ挿入穴２１ｃが設けられている。このねじ挿入穴２１ｃにねじ１０２が挿入された状態で、ねじ１０２が壁面１０１に固定される。この結果、ねじ挿入穴２１ｃおよび取付具３により、背部２１の外表面２１ｂが壁面１０１に略全面で接触した状態で、支持台２が壁面１０１に固定されるように構成されている。なお、ねじ１０２の頭部と背部２１との間には、ワッシャ１０３が配置されている。また、ねじ挿入穴２１ｃは、本発明の「支持台固定部」の一例である。
【００２５】
底部２２は、Ｚ方向から見て、Ｘ方向に長い矩形状に形成されている。また、底部２２のＺ１側には、基板２５とガス検知器１とを電気的に接続するケーブル（図示せず）や端子などが配置されている。また、底部２２には、ガス導入部２ａおよびガス排出部２ｂと、外部からのケーブル（図示せず）を支持台２の内部に導くためのグロメット２２ｂとが下方（Ｚ２側）に突出するように取り付けられている。
【００２６】
ここで、本実施形態では、図３および図４に示すように、底部２２には、取付具３が挿入される開口部２７が設けられている。この開口部２７は、図４に示すように、Ｚ方向から見てＹ方向に長い矩形状に開口している。また、開口部２７は、図３に示すように、底部２２のうち、背部２１の下端部２１ａからＸ１側に向かうように形成されているとともに、図４に示すように、支持台２のＹ方向の中心ＯよりもＹ１側に偏った位置に形成されている。なお、開口部２７のＹ２側の縁部は、支持台２のＹ方向の中心ＯよりもＹ２側に位置しており、この結果、開口部２７は、中心ＯをＹ方向に横切るように延びている。また、開口部２７は、ガス導入部２ａ、ガス排出部２ｂおよびグロメット２２ｂよりも後方（Ｘ２側）に形成されている。
【００２７】
また、開口部２７は、取付具３のＸ方向の厚みｔ２（＝約１．２ｍｍ）よりも十分に大きなＸ方向の幅Ｗ１と、取付具３のＹ方向の幅Ｗ２よりも大きなＹ方向の幅Ｗ３とを有している。これにより、開口部２７に取付具３が挿入される際に、取付具３が底部２２に接触するのが抑制されている。
【００２８】
取付具３は、図５および図６に示すように、下部３１と、上部３２と、下部３１と上部３２との間に設けられた傾斜部３３とから構成された板状の部材から構成されている。なお、取付具３は、約１．２ｍｍの厚みｔ２（図５参照）を有する三価クロメートめっきされた鉄板が曲げ加工されることによって形成されている。つまり、取付具３では、下部３１、上部３２および傾斜部３３が一体的に形成されている。また、三価クロメートめっきされた鉄板からなる取付具３は、ガス検知器１および支持台２を支持する際に変形しない程度の剛性を少なくとも有している。
【００２９】
下部３１は、取付具３のＺ２側に設けられている。また、下部３１は、Ｘ方向から見て矩形状に形成されている。また、下部３１のＺ方向の略中心には、一対のねじ挿入穴３１ｂが設けられている。これにより、図５に示すように、一対のねじ挿入穴３１ｂにねじ１０２がそれぞれ挿入された状態で、ねじ１０２が壁面１０１に固定されることによって、下部３１の後面３１ａが壁面１０１に略全面で接触した状態で、下部３１が壁面１０１に固定されるように構成されている。なお、ねじ１０２の頭部と下部３１との間には、ワッシャ１０３が配置されている。この際、ワッシャ１０３の上端が取付具３の傾斜部３３に接触しないように、ワッシャ１０３の大きさおよび下部３１のＺ方向の大きさが設定されている。
【００３０】
上部３２は、取付具３のＺ１側に設けられている。また、上部３２は、Ｘ方向から見て矩形状に形成されている。また、上部３２は、下部３１よりも前方（Ｘ１側）に位置するように設けられている。また、図６に示すように、上部３２の上端部３２ａのＹ方向の両側に位置する一対の角部３２ｂは、切り欠かれている。これにより、上部３２は、取付具３が開口部２７に挿入される際に、角部３２ｂが支持台２の背部２１や底部２２を傷つけるのを抑制しつつ、開口部２７をガイドすることが可能である。
【００３１】
ここで、本実施形態では、図５に示すように、傾斜部３３は、壁面１０１から離れる前方（Ｘ１側）で、かつ、上方（Ｚ１側）に傾斜するように配置されている。ここで、傾斜部３３の壁面１０１に対する傾斜角度θは、約４５度以下の鋭角になるように形成されている。そして、傾斜部３３は、傾斜する上面３３ａにおいて、支持台２の背部２１の下端部２１ａを下方から支持するように構成されている。
【００３２】
具体的には、傾斜部３３は、下端部２１ａのうちのＸ１側の角部２１ｄと傾斜する上面３３ａとが接触した状態で、支持台２の下端部２１ａを支持するように構成されている。また、図４に示すように、Ｙ方向に延びる角部２１ｄと上面３３ａとがＹ方向の全体に亘って接触することによって、傾斜部３３は、角部２１ｄと上面３３ａとが線接触した状態で、支持台２の下端部２１ａを支持するように構成されている。
【００３３】
また、図５に示すように、傾斜部３３が支持台２の下端部２１ａを支持する状態において、傾斜部３３の上面３３ａと壁面１０１とにより支持台２の背部２１が挟み込まれている。これにより、支持台２のＸ方向の移動を規制することができるので、支持台２ががたつくのを抑制することが可能である。なお、角部２１ｄと線接触する上面３３ａのＺ方向の位置は、上面３３ａと壁面１０１とのＸ方向の距離が約１ｍｍとなるＺ方向の位置になる。
【００３４】
ここで、取付具がＬ字状の形状を有しており、壁面１０１に固定される下部と、壁面から離れる方向（前方、Ｘ１側）に向かって一様に伸び、支持台を支持する支持部とを備える比較例と、本実施形態の取付具３とを比較する。比較例のＬ字状の取付具では、前方に延びる支持部の全体で支持台を支持するため、支持台およびガス検知器の重量に起因する下方に向かうモーメント力が、取付具の下部と支持部との境界部分に働く。この結果、モーメント力により取付具が下部と支持部との境界部分（モーメント力の作用点）から変形しやすく、その結果、変形した取付具から支持台が外れる虞がある。一方で、本実施形態の取付具３では、図５に示すように、傾斜部３３の傾斜した上面３３ａと壁面１０１とで背部２１を挟み込んだ状態で、取付具３が上面３３ａにおいて支持台２の下端部２１ａを支持することによって、取付具３に支持台２およびガス検知器１の重量に起因するモーメント力はほとんど生じない。この結果、本実施形態では、支持台２およびガス検知器１の重量に起因して取付具３の変形が生じるのが抑制されている。
【００３５】
また、傾斜部３３が傾斜することによって、上部３２は、約１．２ｍｍの距離Ｌだけ壁面１０１からＸ１側に離間した位置で、Ｚ方向に延びるように配置されている。この距離Ｌ（＝約１．２ｍｍ）は、支持台２の背部２１の厚みｔ１（＝約１ｍｍ）よりも若干大きくなるように設定されている。これにより、取付具３が開口部２７に挿入された状態で、上部３２の後面３２ａと背部２１の内表面２１ｅとは、約０．２ｍｍ（＝１．２−１）の隙間ＣだけＸ方向に互いに離間するように構成されている。
【００３６】
また、取付具３が支持台２の開口部２７に挿入された状態で、取付具３の上部３２の全体と、傾斜部３３の上側部分とは、支持台２の内部に配置される一方、取付具３の下部３１の全体と、傾斜部３３の下側部分とは、支持台２から外部に露出するように配置される。しかしながら、図２に示すように、開口部２７に挿入される取付具３の露出部分（下部３１の全体および傾斜部３３の下側部分）の一部は、ガス検知ユニット１００をＸ１側から見た場合に、Ｚ２側に突出するガス導入部２ａ、ガス排出部２ｂおよびグロメット２２ｂにより、隠されるように構成されている。これにより、露出する取付具３により、ガス検知ユニット１００の見栄えが悪くなるのを抑制することが可能である。
【００３７】
また、図７に示すように、支持台２に収納された基板２５のＺ２側の端部には、切欠き部２５ｂが設けられている。切欠き部２５ｂは、取付具３に対してＸ方向に対向する位置に設けられている。この切欠き部２５ｂは、変形した取付具３が基板２５に接触するのを抑制するために設けられている。具体的には、不意の大きな外力が支持台２に加えられることにより、取付具３の傾斜部３３の傾斜角度θが大きくなるように取付具３が変形される虞がある。この際、変形した取付具３の上部３２は、壁面１０１から離れるＸ１側で、かつ、Ｚ１側に傾斜するため、基板２５に切欠き部２５ｂが設けられていない場合には、取付具３の上部３２は、Ｘ１側の基板２５に接触してしまう。一方、本実施形態のように、基板２５の取付具３に対してＸ方向に対向する位置に切欠き部２５ｂを設けることによって、変形した取付具３が基板２５に接触するのを抑制することが可能である。
【００３８】
次に、図３および図５を参照して、ガス検知器１の壁面１０１への取り付けについて説明する。
【００３９】
まず、壁面１０１に取付具３を固定する。具体的には、図５に示すように、取付具３を取付具３の下部３１の後面３１ａの略全面を壁面１０１に接触させた状態で、取付具３を下部３１が下方（Ｚ２側）に、上部３２が上方（Ｚ１側）に位置するとともに、傾斜部３３が壁面１０１から離れる前方（Ｘ１側）で、かつ、上方に傾斜するように配置する。そして、一対のねじ挿入穴３１ｂにねじ１０２をそれぞれ挿入した状態で、ねじ１０２を壁面１０１にねじ止めにより固定する。この際、ねじ１０２の頭部と下部３１との間にワッシャ１０３を配置する。これにより、取付具３が壁面１０１に固定される。
【００４０】
この際、取付具３の上部３２は、約１．２ｍｍの距離Ｌだけ壁面１０１から前方に離間した位置に配置される。
【００４１】
そして、取付具３が開口部２７に挿入されるように、Ｚ１側から支持台２を取付具３に取り付ける。具体的には、支持台２の背部２１の外表面２１ｂを壁面１０１に近づけた状態で、取付具３の上端部３２ａ側から開口部２７に挿入されるように支持台２をＺ２側に移動させる。この際、切り欠かれた角部３２ｂ（図６参照）と上部３２とにより開口部２７（支持台２）がガイドされつつ、支持台２がＺ２側に移動される。そして、取付具３の傾斜部３３の上面３３ａに、支持台２の下端部２１ａのうちのＸ１側の角部２１ｄが線接触する。そして、支持台２がＺ２側にさらに移動するのに伴い、支持台２の角部２１ｄは、傾斜部３３の上面３３ａに線接触した状態で、傾斜する上面３３ａ沿って、下方で、かつ、壁面１０１に近づく方向（後方、Ｘ２側）に移動する。これにより、支持台２のＺ２側への移動に伴い、背部２１の外表面２１ｂと壁面１０１との距離が小さくなる。
【００４２】
そして、取付具３周辺の背部２１の外表面２１ｂと壁面１０１とが接触する位置まで支持台２がＺ２側へ移動した際に、壁面１０１と傾斜部３３の上面３３ａとに背部２１が挟み込まれることによって、支持台２の下方への移動が規制される。
【００４３】
なお、この状態で、不意が外力などに起因して、支持台２の全体が壁面１０１から離れるＸ１側で、かつ、Ｚ１側に傾斜されたとしても、取付具３の上部３２に傾斜する支持台２の背部２１の内表面２１ｅが当接することによって、支持台２（背部２１）のそれ以上の傾斜が規制される。これにより、支持台２が取付具３から外れるのが抑制される。つまり、取付具３の上部３２は、支持台２を仮固定する機能を有している。
【００４４】
その後、図３に示すように、背部２１の上側部分に設けられた長円形状のねじ挿入穴２１ｃにねじ１０２を挿入した状態で、ねじ１０２を壁面１０１にねじ止め固定する。この際、ねじ１０２の頭部と下部３１との間にワッシャ１０３を配置する。これにより、支持台２の上側部分のねじ挿入穴２１ｃおよびねじ１０２と取付具３とによって、背部２１の外表面２１ｂの略全面と壁面１０１とが接触した状態で、支持台２が壁面１０１に取り付けられる。なお、ねじ挿入穴２１ｃがＺ方向に長い長円形状を有していることによって、ねじ挿入穴２１ｃにおけるねじ１０２の固定位置をＺ方向に移動させることが可能である。これにより、ねじ１０２の固定位置をＺ方向に移動させることにより、取付具３の傾斜部３３と支持台２の背部２１との接触位置の公差を吸収した状態で、支持台２を壁面１０１に固定することが可能である。
【００４５】
その後、壁面１０１に固定された支持台２にガス検知器１を取り付けることによって、ガス検知器１が壁面１０１に取り付けられる。
【００４６】
本実施形態では、以下のような効果を得ることができる。
【００４７】
本実施形態では、上記のように、ガス検知器１が取り付けられた支持台２の底部２２の開口部２７に挿入される取付具３が、支持台２の背部２１の外表面２１ｂが壁面１０１に接触した状態で支持台２の下端部２１ａを支持する傾斜部３３を含む。これにより、傾斜部３３により、ガス検知器１の支持台２の背部２１の外表面２１ｂを壁面１０１に接触させた状態で、取付具３に支持台２を支持させることができる。この結果、支持台２と壁面１０１とが略離間しない状態で、ガス検知器１の支持台２を壁面１０１に取り付けることができるので、大きな空間を占めることなくガス検知器１を壁面１０１に取り付けることができる。
【００４８】
また、本実施形態では、壁面１０１から離れる前方（Ｘ１側）で、かつ、上方（Ｚ１側）に傾斜するように配置された取付具３の傾斜部３３が、支持台２の下端部２１ａを支持するように構成する。これにより、支持台２の背部２１の外表面２１ｂが接触される壁面１０１と傾斜部３３とにより支持台２の背部２１を挟み込むことができるので、支持台２の壁面１０１から離れるＸ１側に支持台２が移動するのを抑制することができる。これにより、支持台２にがたつきが生じるのを抑制することができるとともに、背部２１の外表面２１ｂが壁面１０１に接触する状態を維持することができる。
【００４９】
また、本実施形態では、支持台２の背部２１の上側部分に、背部２１の外表面２１ｂが壁面１０１に接触するように支持台２を壁面１０１に固定するねじ挿入穴２１ｃを設ける。これにより、ねじ挿入穴２１ｃを設けることにより、ねじ１０２を用いて背部２１の外表面２１ｂの全体を確実に壁面１０１に接触させることができるとともに、背部２１の外表面２１ｂの全体を壁面１０１に接触させた状態で、支持台２を壁面１０１に固定することができる。これにより、より確実に支持台２にがたつきが生じるのを抑制することができる。
【００５０】
また、本実施形態では、ねじ挿入穴２１ｃにより支持台２が壁面１０１に固定された場合であっても、支持台２に取り付けられたガス検知器１は直接的に壁面１０１に固定されていないので、支持台２からガス検知器１を取り外すことによって、ガス検知器１のみを壁面１０１から取り外すことができる。これにより、ガス検知器１の取り換えや点検などを容易に行うことができる。
【００５１】
また、本実施形態では、取付具３の上部３２と支持台２の背部２１の内表面２１ｅとを隙間Ｃを介して互いに離間させることによって、支持台２の開口部２７に取付具３を挿入する際に、取付具３の上部３２と支持台２の背部２１の内表面２１ｅとが接触するのを抑制することができるので、取付具３と支持台２の背部２１とが摩耗するのを抑制することができる。この結果、取付具３と支持台２との摩耗に起因して摩耗粉が生じるのを抑制することができる。この摩耗粉が生じるのを抑制する効果は、クリーンルームなどの清浄な状態を維持する必要のある空間内にガス検知器１が配置される場合に、特に有効である。
【００５２】
また、本実施形態では、傾斜部３３が、支持台２の下端部２１ａのうちの壁面１０１から離れるＸ１側の角部２１ｄに線接触した状態で、支持台２の下端部２１ａを支持するように構成する。これにより、傾斜部３３が支持台２の下端部２１ａを点接触で支持する場合と比べて、傾斜部３３において支持台２をより安定的に支持することができる。
【００５３】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更（変形例）が含まれる。
【００５４】
たとえば、上記実施形態では、開口部２７を支持台２のＹ方向の中心ＯよりもＹ１側に偏った位置に形成した例を示したが、本発明はこれに限られない。本発明では、開口部は、支持台２のＹ方向の中心ＯよりもＹ２側に偏った位置に形成してもよいし、支持台２のＹ方向の中心Ｏに対して略鏡像対称になる位置に形成してもよい。また、開口部を支持台２の底部２２において、Ｙ方向の略全域に亘って形成してもよい。
【００５５】
また、上記実施形態では、開口部２７および取付具３をそれぞれ１つのみ設けた例を示したが、本発明はこれに限られない。本発明では、一対の開口部および一対の取付具を下底部の幅方向の両側にそれぞれ設けてもよいし、３つ以上の開口部および３つ以上の取付具を下底部に設けてもよい。
【００５６】
また、上記実施形態では、傾斜部３３が、下端部２１ａのうちの壁面１０１から離れるＸ１側の角部２１ｄと傾斜する上面３３ａとが線接触した状態で、支持台２の下端部２１ａを支持する例を示したが、本発明はこれに限られない。本発明では、下端部の角部と傾斜する上面とが線接触せずに点接触した状態で、支持台の下端部を支持するように構成してもよい。
【００５７】
また、上記実施形態では、取付具３が開口部２７に挿入された状態で、上部３２の後面３２ａと背部２１の内表面２１ｅとが隙間Ｃだけ離間するように構成した例を示したが、本発明はこれに限られない。本発明では、上部の後面の一部と背部の内表面とが接触するように構成してもよい。これにより、取付具により支持台をより確実に支持することが可能である。
【００５８】
また、上記実施形態では、取付具３を三価クロメートめっきされた鉄板からなるように構成した例を示したが、本発明はこれに限られない。本発明では、取付具の素材は特に限定されない。なお、取付具は、ガス検知器および支持台の重量により略変形しない剛性を少なくとも有しているのが好ましく、外力などにより略変形しない剛性を有しているのがさらに好ましい。
【００５９】
また、上記実施形態では、背部２１の上側部分に設けられたねじ挿入穴２１ｃにねじ１０２が挿入された状態で、ねじ１０２が壁面１０１に固定されることによって、背部２１の外表面２１ｂが壁面１０１に略全面で接触した状態で、支持台２が壁面１０１に固定される例を示したが、本発明はこれに限られない。本発明では、背部の上側部分にねじ挿入穴を設けずに、取付具のみにより、背部の外表面が壁面に接触した状態で支持台を壁面に取り付けてもよい。また、たとえば、本発明の支持台固定部として背面の上側部分に壁面側に突出する突起部を設け、背部の外表面を壁面に接触させた状態で、壁面に形成された穴部に突起部を挿入することによって、支持台を壁面に固定するように構成してもよい。
【符号の説明】
【００６０】
１  ガス検知器
２  支持台
３  取付具
４  ガス検知器の取付構造
２１  背部
２１ａ  下端部
２１ｂ  外表面
２１ｃ  ねじ挿入穴（支持台固定部）
２１ｄ  角部
２１ｅ  内表面
２２  底部（下底部）
２６  開口部
３１  下部
３２  上部
３３  傾斜部
１０１  壁面
Ｃ  隙間
【図１】
0006416599.tif 000002
【図２】
0006416599.tif 000003
【図３】
0006416599.tif 000004
【図４】
0006416599.tif 000005
【図５】
0006416599.tif 000006
【図６】
0006416599.tif 000007
【図７】
0006416599.tif 000008